(57)【特許請求の範囲】
【請求項１】
軸方向両端に大径段部を備えた外輪と、軸方向両端に肩部を備えた内輪と、外輪と内輪間に介在した複数の転動体と、前記大径段部と前記肩部との間にあって、前記肩部に圧入固定された環状の鍔部とを備えたローラフォロアにおいて、前記鍔部における前記肩部側の肉厚ｔと前記大径段部側の肉厚Ｔとの関係が、Ｔ＞ｔとなるよう鍔部肉厚の断面形状を段付き形状とするとともに、前記内輪内径において内輪内径Ｄと、前記内輪の前記肩部において、前記鍔部の肩部側肉厚ｔの範囲で前記内輪内周面を内径ｄに拡径した拡径部を備えたことを特徴とするローラフォロア。
【請求項２】
軸方向両端に大径段部を備えた外輪と、軸方向両端に小径段部を備えた内輪と、外輪と内輪間に介在した複数の転動体と、前記大径段部と前記小径段部との間にあって、前記小径段部に圧入固定された環状の鍔部とを備えたローラフォロアにおいて、前記鍔部における前記小径段部側の肉厚ｔと前記大径段部側の肉厚Ｔとの関係が、Ｔ＞ｔとなるよう鍔部肉厚の断面形状を段付き形状とし、鍔部と小径段部とを突き当て鍔部の位置決めを行うとともに、前記内輪内径において内輪内径Ｄと、前記内輪の前記小径段部において、前記鍔部の小径段部側肉厚ｔの範囲で前記内輪内周面を内径ｄに拡径した拡径部を備えたことを特徴とするローラフォロア。
【発明の詳細な説明】
【技術分野】
【０００１】
本発明は、鍔輪を装着したローラフォロアに関するものである。
【背景技術】
【０００２】
従来のローラフォロアにおいては、図５に示す様に、外周面をカム従動面とした外輪４１の内部に内輪４２を組み込み、外輪４１の内周面と内輪４２の外周面との間に、一定間隔で配置される複数の転動体４４を介在させ、内輪４２に対して外輪４１を回転自在に保持するとともに、上記外輪４１の両側に設けられた大径段部４５の内部に内輪４２の端部に圧入固定された一対の鍔輪４６、４６がローラフォロア４０の軸方向に対峙する様に配置されている。（特許文献１）
【０００３】
特許文献１においては、一対の鍔輪４６，４６がローラフォロア軸方向両端に対峙するように配置されているので、ローラフォロアの転動体周辺に注入された潤滑剤の飛散、枯渇を防止するとともに、ローラフォロア外部からの異物の混入も防止している。
【０００４】
また、前記鍔輪４６の内輪４２への圧入に際しては、内輪４２の両側に小径段部４７を設けこれに鍔輪４６を圧入すると共に、内輪４２の小径段部内周面における径ｄ１を内輪内径Ｄ１よりも大径となるように形成している。このように小径段部内径ｄ１を内輪内径Ｄ１より大径とすることで、鍔輪４６圧入時の小径段部４７の変形空間を確保して、前記内輪４２に圧入される図示しない軸等への鍔輪圧入の影響を回避している。
【先行技術文献】
【特許文献】
【０００５】
【特許文献１】特開２００１−２０８０８６号公報
【発明の概要】
【発明が解決しようとする課題】
【０００６】
しかしながら、特許文献１のローラフォロアでは、内輪への鍔輪圧入のために、内輪内径面すなわち小径段部内周面の一部を大径として圧入変形空間に活用している為、軸と内輪内周面との対向する面積の一部を前記鍔輪の圧入変形空間に割かねばならず、軸と内輪内周面の接触面積が減少し、軸摩耗促進の一因にもなっていた。
【０００７】
本発明はこのような実情に鑑みてなされたもので、ローラフォロア内輪への鍔輪圧入に際しても、内輪変形による軸への干渉を防止しつつ、内輪と軸間の軸摩耗を抑制できるローラフォロアの提供を目的としている。
【課題を解決するための手段】
【０００８】
前記課題を解決するための第一の発明は、軸方向両端に大径段部を備えた外輪と、軸方向両端に肩部を備えた内輪と、外輪と内輪間に介在した複数の転動体と、前記大径段部と前記肩部との間にあって、前記肩部に圧入固定された環状の鍔部とを備えたローラフォロアにおいて、前記鍔部における前記肩部側の肉厚ｔと前記大径段部側の肉厚Ｔとの関係が、Ｔ＞ｔとなるよう鍔部肉厚の断面形状を段付き形状とするとともに、前記内輪内径において内輪内径Ｄと、前記内輪の前記肩部において、前記鍔部の肩部側肉厚ｔの範囲で前記内輪内周面を内径ｄに拡径した拡径部を備えたことを特徴とする。
【０００９】
また、第二の発明は、軸方向両端に大径段部を備えた外輪と、軸方向両端に小径段部を備えた内輪と、外輪と内輪間に介在した複数の転動体と、前記大径段部と前記小径段部との間にあって、前記小径段部に圧入固定された環状の鍔部とを備えたローラフォロアにおいて、前記鍔部における前記小径段部側の肉厚ｔと前記大径段部側の肉厚Ｔとの関係が、Ｔ＞ｔとなるよう鍔部肉厚の断面形状を段付き形状とし、鍔部と小径段部とを突き当て鍔部の位置決めを行うとともに、前記内輪内径において内輪内径Ｄと、前記内輪の前記小径段部において、前記鍔部の小径段部側肉厚ｔの範囲で前記内輪内周面を内径ｄに拡径した拡径部を備えたことを特徴とする。
【発明の効果】
【００１０】
本発明によれば、鍔部の内輪への圧入部分の肉厚を薄肉にし、かつ鍔部の圧入部分に対応する肩部の内径のみを内輪内径より大径としているので、鍔部の圧入による内輪変形を吸収できると共に、軸と内輪内径との接触面積を増加させることが出来、軸摩耗を抑制したローラフォロアの提供が可能となる。
【図面の簡単な説明】
【００１１】
【図１】本発明の実施形態のローラフォロアを示す断面図である。
【図２】本発明の第二の実施形態のローラフォロアを示す断面図である。
【図３】本発明の第二の実施形態のローラフォロアの変形例を示す断面図である。
【図４】従来のローラフォロアを示す断面図である。
【発明を実施するための形態】
【００１２】
以下、本発明の実施形態について説明する。
本実施形態は、図１に示すように、内輪３と、外輪２と、前記内輪３と前記外輪２間に配置される複数の転動体４と、前記内輪３と前記外輪２間にあって、転動体を外部より隔離する一対の鍔部６，６とを備えたローラフォロア１となっている。
【００１３】
ローラフォロアの外輪２は、ローラフォロア軸方向両端に一対の大径段部５を備えており、内輪２は、ローラフォロア軸方向両端に一対の肩部７を備えている。
【００１４】
鍔部６は円環状の部材であり、外径の肉厚Ｔよりも内径の肉厚ｔが薄くなっており、前記鍔部６の断面形状においては段付き形状を成している。そして、この鍔部６は、ローラフォロア内輪２の肩部７に圧入され内輪２と一体的に保持されている。
【００１５】
このとき、内輪２の内周面は、図示しない直径Ｄの軸を圧入固定するために内径Ｄの円筒形状を成しているが、内輪２の肩部７の内径においては、前記鍔部の内径肉厚寸法ｔの範囲内で前記内径Ｄより拡径した内径ｄとなる拡径部８を備えている。これにより、前記肩部７のｔ寸法分だけ薄肉となることで鍔部の圧入作業性が容易になる一方、内輪２への鍔部６圧入により肩部７に変形が生じた際においても、内輪２に圧入された軸の外周面と前記拡径部８間に生じた隙間によって肩部７の変形を吸収し軸への干渉を防止できる。また、軸と接触しない拡径部８は、鍔部肉厚寸法ｔの範囲内だけに限定しているため、軸外周面と内輪内周面との接触面積を極力増やすことができるので、軸面圧の分散が図られて軸摩耗の抑制に寄与することができる。また、内輪内径の拡径部８長さを圧入に必要な長さの範囲に抑えることで、内輪全体の剛性も向上し、鍔部６の圧入による内輪軌道面変形への影響も低減できる。
【００１６】
また、第二の実施形態を図２に示す。第一の実施形態と同じ構成は同一の符号を付してある。本実施形態では、内輪１２に小径段部１７を設けてある。この小径段部１７の一端に鍔部６を圧入し、小径段部１７の縦壁と、転動体４に対向する鍔部６の縦壁とを突き当てて、ローラフォロア軸方向にて鍔部６の位置決めしている。その他の構成は第一の実施形態と同様である。これにより、内輪１２への鍔部６圧入による小径段部１７に変形が生じた際にも、内輪１２に圧入された軸の外周面と拡径部８間に生じた隙間によって小径段部１７の変形を吸収し軸への干渉を防止できる。また、軸と接触しない拡径部８は、鍔部肉厚寸法ｔの範囲内だけに限定しているため、軸外周面と内輪内周面との接触面積を極力増やすことができるので、軸面圧の分散が図られて軸摩耗の抑制に寄与することができる。また、内輪内径の拡径部８長さを圧入に必要な長さの範囲に抑えることで、内輪全体の剛性も向上し、鍔部６の圧入による内輪軌道面変形への影響も低減できる。
【００１７】
また、第二の実施形態の変形例を図３に示す。第一の実施形態、第二の実施形態と同じ構成は同一の符号を付してある。本実施形態では、内輪２２に小径段部２７を設けてある。この小径段部２７の一端に鍔部１６を圧入し、小径段部２７の縦壁と鍔部１６の段部１６ａとを突き当てて、ローラフォロア軸方向にて鍔部１６の位置決めしている。その他の構成は第一の実施形態、第二の実施形態と同様である。これにより、内輪２２への鍔部１６圧入による小径段部２７に変形が生じた際にも、内輪２２に圧入された軸の外周面と拡径部８間に生じた隙間によって小径段部２７の変形を吸収し軸への干渉を防止できる。また、軸と接触しない拡径部８は、鍔部肉厚寸法ｔの範囲内だけに限定しているため、軸外周面と内輪内周面との接触面積を極力増やすことができるので、軸面圧の分散が図られて軸摩耗の抑制に寄与することができる。また、内輪内径の拡径部８長さを圧入に必要な長さの範囲に抑えることで、内輪全体の剛性も向上し、鍔部６の圧入による内輪軌道面変形への影響も低減できる。
【符号の説明】
【００１８】
１  ローラフォロア
２  外輪
３  内輪
４  転動体
５  大径段部
６  鍔部
７  肩部
８  拡径部
１７、２７  小径段部
【図１】
0005891873.tif 000002
【図２】
0005891873.tif 000003
【図３】
0005891873.tif 000004
【図４】
0005891873.tif 000005